【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
印刷データに基づいて用紙に印刷処理を実行する印刷手段と、
他の印刷装置から、用紙を印刷処理で利用する際の前記印刷手段の動作状態に関する動作情報を含む用紙情報及び前記他の印刷装置を特定する装置情報を受信する受信手段と、
前記他の印刷装置から受信した前記用紙情報を登録するか否かを、前記受信手段が受信した前記装置情報に基づいて判定する第１判定手段と、
前記第１判定手段が前記用紙情報を登録すると判定した場合に、前記動作情報を含む用紙情報を登録する登録手段と、
前記登録手段に登録された複数の前記用紙情報から、いずれかの用紙情報を選択する選択手段と、
前記選択手段が選択した用紙情報に含まれる前記動作情報に基づいた動作状態にて前記印刷処理を実行させるよう前記印刷手段を制御する制御手段と、
を有することを特徴とする印刷装置。
【請求項２】
前記受信手段は、前記印刷処理で利用する用紙の特性を示す特性情報と前記動作情報とを含む用紙情報を受信し、
前記受信手段が受信した用紙情報に含まれる特性情報が、前記印刷装置にて利用可能な用紙の特性を示すか否かを判定する第２判定手段とを有し、
前記登録手段は、前記用紙情報を登録しないと前記第１判定手段が判定した場合であって前記特性情報が前記印刷装置にて利用可能な用紙の特性を示すと前記第２判定手段が判定した場合に、前記用紙情報から前記動作情報を除いた情報を登録することを特徴とする請求項１に記載の印刷装置。
【請求項３】
前記第１判定手段が前記用紙情報を登録しないと判定した場合に、前記特性情報に基づいて前記用紙情報に付加する新たな動作情報を生成する生成手段を有し、
前記登録手段は、前記第１判定手段が前記用紙情報を登録しないと判定した場合に、前記用紙情報に前記新たな動作情報を付加して登録することを特徴とする請求項２に記載の印刷装置。
【請求項４】
前記第１判定手段は、前記装置情報により特定される前記他の印刷装置が自装置と同種の印刷装置である場合に、前記他の印刷装置から受信した前記用紙情報を登録すると判定することを特徴とする請求項１乃至３のいずれか１項に記載の印刷装置。
【請求項５】
前記受信手段が受信した用紙情報を記憶する記憶手段と、
前記記憶手段に記憶され、かつ前記登録手段に登録されていない用紙情報を前記選択手段が選択することを禁止する禁止手段を有することを特徴とする請求項１乃至４のいずれか１項に記載の印刷装置。
【請求項６】
他の印刷装置に用紙情報を送信する印刷装置であって、
印刷データに基づいて用紙に印刷処理を実行する印刷手段と、
前記印刷処理で利用する用紙の特性を示す特性情報と該用紙を印刷処理で利用する際の前記印刷手段の動作状態に関する動作情報とを含む用紙情報を登録する登録手段と、
前記登録手段に登録された複数の前記用紙情報から、いずれかの用紙情報を選択する選択手段と、
前記選択手段が選択した用紙情報に含まれる前記動作情報に基づいた動作状態にて前記印刷処理を実行させるよう前記印刷手段を制御する制御手段と、
前記特性情報と前記動作情報とを含む用紙情報を前記他の印刷装置へ送信する第１送信処理、又は前記特性情報を含むが前記動作情報を含まない用紙情報を前記他の印刷装置へ送信する第２送信処理のいずれかの送信処理を実行する送信手段と、
を有することを特徴とする印刷装置。
【請求項７】
前記他の印刷装置が前記印刷装置と同種の印刷装置であるか否かを判定する装置判定手段を有し、
前記送信手段は、前記装置判定手段が同種の印刷装置であると判定した場合は前記第１送信処理を実行し、前記装置判定手段が同種でないと判定した場合は前記第２送信処理を実行することを特徴とする請求項６に記載の印刷装置。
【請求項８】
前記印刷手段は、前記印刷データに応じた現像剤像を保持する保持手段と、該保持手段に保持された前記現像剤像を用紙に転写する転写手段と、前記転写手段により前記現像剤像が転写された用紙を加熱及び加圧する定着手段とを含み、
前記動作情報は、前記定着手段が用紙を加圧する加圧力を示す情報であることを特徴とする請求項１乃至７のいずれか１項に記載の印刷装置。
【請求項９】
前記印刷手段は、前記印刷データに応じた現像剤像を保持する保持手段と、該保持手段に保持された前記現像剤像を用紙に転写する転写手段と、前記転写手段により前記現像剤像が転写された用紙を加熱及び加圧する定着手段とを含み、
前記動作情報は、前記定着手段が用紙を加熱する際の定着温度を示す情報であることを特徴とする請求項１乃至７のいずれか１項に記載の印刷装置。
【請求項１０】
前記印刷手段は、前記印刷データに応じた現像剤像を保持する保持手段と、該保持手段に保持された前記現像剤像を用紙に転写する転写手段と、前記転写手段により前記現像剤像が転写された用紙を加熱及び加圧する定着手段とを含み、
前記動作情報は、前記転写手段が前記現像剤を用紙に転写するために前記用紙に印加する転写電圧を示す情報であることを特徴とする請求項９に記載の印刷装置。
【請求項１１】
用紙に印刷処理を実行する印刷部を有する印刷装置の制御方法であって、
他の印刷装置から、用紙を印刷処理で利用する際の前記印刷部の動作状態に関する動作情報を含む前記用紙情報及び前記他の印刷装置を特定する装置情報を受信する受信工程と、
前記他の印刷装置から受信した前記用紙情報を登録するか否かを、前記受信工程が受信した前記装置情報に基づいて判定する第１判定工程と、
前記第１判定工程が前記用紙情報を登録すると判定した場合に、前記動作情報を含む用紙情報を登録する登録工程と、
前記登録工程にて登録された複数の前記用紙情報から、いずれかの用紙情報を選択する選択工程と、
前記選択工程にて選択した用紙情報に含まれる前記動作情報に基づいた動作状態にて前記印刷装置に印刷処理を実行させるよう制御する制御工程と、
を有することを特徴とする印刷方法。
【請求項１２】
他の印刷装置に用紙情報を送信する印刷装置の制御方法であって、
印刷データに基づいて印刷手段を用いて用紙に印刷処理を実行する印刷工程と、
前記印刷処理で利用する用紙の特性を示す特性情報と該用紙を前記印刷処理で利用する際の前記印刷装置の動作状態に関する動作情報とを含む用紙情報を登録する登録工程と、
前記登録工程にて登録された複数の前記用紙情報から、いずれかの用紙情報を選択する選択工程と、
前記選択工程にて選択された用紙情報に含まれる前記動作情報に基づいた動作状態にて前記印刷処理を実行させるよう前記印刷手段を制御する制御工程と、
前記特性情報と前記動作情報とを含む用紙情報を前記他の印刷装置へ送信する第１送信処理、又は前記特性情報を含むが前記動作情報を含まない用紙情報を前記他の印刷装置へ送信する第２送信処理のいずれかの送信処理を実行する送信工程と、
を有することを特徴とする印刷装置の制御方法。
【手続補正２】
【補正対象書類名】明細書
【補正対象項目名】発明の名称
【補正方法】変更
【補正の内容】
【発明の名称】印刷装置および印刷装置の制御方法
【手続補正３】
【補正対象書類名】明細書
【補正対象項目名】０００１
【補正方法】変更
【補正の内容】
【０００１】
本発明は、印刷装置及び印刷装置の制御方法に関するものである。
【手続補正４】
【補正対象書類名】明細書
【補正対象項目名】０００８
【補正方法】変更
【補正の内容】
【０００８】
本発明の印刷装置は、印刷データに基づいて用紙に印刷処理を実行する印刷手段と、他の印刷装置から、用紙を印刷処理で利用する際の前記印刷手段の動作状態に関する動作情報を含む用紙情報及び前記他の印刷装置を特定する装置情報を受信する受信手段と、前記他の印刷装置から受信した前記用紙情報を登録するか否かを、前記受信手段が受信した前記装置情報に基づいて判定する第１判定手段と、前記第１判定手段が前記用紙情報を登録すると判定した場合に、前記動作情報を含む用紙情報を登録する登録手段と、前記登録手段に登録された複数の前記用紙情報から、いずれかの用紙情報を選択する選択手段と、前記選択手段が選択した用紙情報に含まれる前記動作情報に基づいた動作状態にて前記印刷処理を実行させるよう前記印刷手段を制御する制御手段とを有することを特徴とする。
【手続補正５】
【補正対象書類名】明細書
【補正対象項目名】０００９
【補正方法】変更
【補正の内容】
【０００９】
本発明の印刷装置は、他の印刷装置に用紙情報を送信する印刷装置であって、印刷データに基づいて用紙に印刷処理を実行する印刷手段と、前記印刷処理で利用する用紙の特性を示す特性情報と該用紙を印刷処理で利用する際の前記印刷手段の動作状態に関する動作情報とを含む用紙情報を登録する登録手段と、前記登録手段に登録された複数の前記用紙情報から、いずれかの用紙情報を選択する選択手段と、前記選択手段が選択した用紙情報に含まれる前記動作情報に基づいた動作状態にて前記印刷処理を実行させるよう前記印刷手段を制御する制御手段と、前記特性情報と前記動作情報とを含む用紙情報を前記他の印刷装置へ送信する第１送信処理、又は前記特性情報を含むが前記動作情報を含まない用紙情報を前記他の印刷装置へ送信する第２送信処理のいずれかの送信処理を実行する送信手段とを有することを特徴とする。
【手続補正６】
【補正対象書類名】明細書
【補正対象項目名】００１０
【補正方法】変更
【補正の内容】
【００１０】
本発明の印刷装置の制御方法は、用紙に印刷処理を実行する印刷部を有する印刷装置の制御方法であって、他の印刷装置から、用紙を印刷処理で利用する際の前記印刷部の動作状態に関する動作情報を含む前記用紙情報及び前記他の印刷装置を特定する装置情報を受信する受信工程と、前記他の印刷装置から受信した前記用紙情報を登録するか否かを、前記受信工程が受信した前記装置情報に基づいて判定する第１判定工程と、前記第１判定工程が前記用紙情報を登録すると判定した場合に、前記動作情報を含む用紙情報を登録する登録工程と、前記登録工程にて登録された複数の前記用紙情報から、いずれかの用紙情報を選択する選択工程と、前記選択工程にて選択した用紙情報に含まれる前記動作情報に基づいた動作状態にて前記印刷装置に印刷処理を実行させるよう制御する制御工程とを有することを特徴とする。
【手続補正７】
【補正対象書類名】明細書
【補正対象項目名】００１１
【補正方法】変更
【補正の内容】
【００１１】
本発明の印刷装置の制御方法は、他の印刷装置に用紙情報を送信する印刷装置の制御方法であって、印刷データに基づいて印刷手段を用いて用紙に印刷処理を実行する印刷工程と、前記印刷処理で利用する用紙の特性を示す特性情報と該用紙を前記印刷処理で利用する際の前記印刷装置の動作状態に関する動作情報とを含む用紙情報を登録する登録工程と、前記登録工程にて登録された複数の前記用紙情報から、いずれかの用紙情報を選択する選択工程と、前記選択工程にて選択された用紙情報に含まれる前記動作情報に基づいた動作状態にて前記印刷処理を実行させるよう前記印刷手段を制御する制御工程と、前記特性情報と前記動作情報とを含む用紙情報を前記他の印刷装置へ送信する第１送信処理、又は前記特性情報を含むが前記動作情報を含まない用紙情報を前記他の印刷装置へ送信する第２送信処理のいずれかの送信処理を実行する送信工程とを有することを特徴とする。
【手続補正８】
【補正対象書類名】明細書
【補正対象項目名】００１２
【補正方法】変更
【補正の内容】
【００１２】
本発明によれば、他の装置から印刷手段の動作状態を設定するための動作情報を含む用紙情報を受信した場合に、その動作情報を利用するか否かを他の印刷装置を特定する装置情報に基づいて適切に判定して用紙情報を登録することができる印刷装置及び印刷装置の制御方法を提供することができる。
【手続補正９】
【補正対象書類名】明細書
【補正対象項目名】００１３
【補正方法】変更
【補正の内容】
【００１３】
本発明によれば、他の印刷装置に、印刷手段の動作状態を設定するための動作情報を含む用紙情報を送信する際に、用紙の特性を示す特性情報と動作情報とを含む用紙情報を送信するか、特性情報を含むが動作情報を含まない用紙情報を送信するかを適切に切り替えることができる印刷装置及び印刷装置の制御方法を提供することができる。